(57)【要約】      （修正有）【課題】自動車の座席に設けてある枕を外さなくても容易に脱着できるワンタッチシートカバーを提案する。【解決手段】ワンタッチシートカバーの上部に枕の心棒を通す穴３．４を設けた横の切り込み２を一文字に設け、上記ワンタッチシートカバーの背部には縦の切り込み５．６を入れる、上記切り込み２．５．６には脱着用マジックテープ７．８を糸で縫い付けてある。【選択図】図３
0003117170.tif 000002
【実用新案登録請求の範囲】
【請求項１】
自動車の座席に被せて使用するシートカバーにおいて、上記シートカバーの上部に横一文字に切り込みを入れ上記切り込みの両端には上記自動車の座席に設けてある枕の心棒を通す穴を設け、上記シートカバーの背部には縦一文字に切り込みを２ヵ所入れる、上記切り込み部分には脱着用マジックテープを例えば糸で縫い付けてあり、上記自動車の座席に上記シートカバーを取り付けたり、取り外したりする時に上記脱着用マジックテープを使用して上記自動車の座席に設けてある枕を外さなくても取り付け、取り外しが出来る事を特徴とするワンタッチシートカバー。
【考案の詳細な説明】
【考案の詳細な説明】
【技術分野】
【０００１】  本考案は、自動車の座席に被せて使用するシートカバーに関するものであって、脱着用マジックテープを使用して自動車の座席に取り付け、或いは取り外しをするので枕を外さなくてもワンタッチシートカバーの脱着が容易にできる。
【背景技術】
【０００２】  従来この種のシートカバーにおいては、自動車の座席に取り付け、取り外しをする時には座席に設けてある枕を外さなければならず、防犯のために取り付けてある防犯硝子も一緒に取り外すのは作業も大変で労力を要するため実用上不便である。
【考案が解決しようとする課題】
【０００３】  従来の技術で述べたシートカバーにおいては、自動車の座席に設けてある枕や防犯硝子を外してから取り付けなければならず作業が困難であるため、上記自動車の座席に設けてある枕や防犯硝子を外さなくても取り付け、取り外しを容易にするものである。
【０００４】  本考案は以上のことを考慮してなされたもので、本考案の目的は自動車の座席に設けてある枕や防犯硝子を外さなくてもワンタッチシートカバーの取り替えを容易にし、取り替え作業を楽にするものである。
【課題を解決するための手段】
【０００５】  かかる課題を解決するため本考案においては、ワンタッチシートカバー（１）の上部に横一文字の切り込み（２）を入れる、横一文字の切り込み（２）の両端には自動車の座席（Ａ）に設けられた枕（Ｂ）の心棒（Ｃ）を通す穴（３．４）を設ける、又ワンタッチシートカバー（１）の背部には縦一文字に切り込み（５．６）を２ヵ所入れる、上記切り込み（２．５．６）部分には脱着用マジックテープ（７．８）を例えば糸で縫い付けてある。
【考案を実施するための最良の形態】
【０００６】  自動車の座席（Ａ）にワンタッチシートカバー（１）を取り付ける時には、自動車の座席（Ａ）の前方よりワンタッチシートカバー（１）を自動車の座席（Ａ）に着せるようにして、自動車の座席（Ａ）の背部でワンタッチシートカバー（１）の縦の切り込み（５）に設けられた脱着用マジックテープ（７）を縦の切り込み（６）に設けてある脱着用マジックテープ（８）に重ねるように取り付ける、同じく横の切り込み（２）に設けられた脱着用マジックテープ（７）を脱着用マジックテープ（８）に重ねることにより、自動車の座席（Ａ）に設けられた枕（Ｂ）を外さなくてもワンタッチシートカバー（１）を取り付けられる。
同様に、ワンタッチシートカバー（１）を自動車の座席（Ａ）より外す時は、自動車の座席（Ａ）の背部で重ねた脱着用マジックテープ（７）を脱着用マジックテープ（８）より剥がし、同じく横の切り込み（２）に設けられた脱着用マジックテープ（７）を脱着用マジックテープ（８）より剥がすことにより、自動車の座席（Ａ）に設けられた枕（Ｂ）を外すことなくワンタッチシートカバー（１）を取り外せる。
【実施例】
【０００７】  以下図面について、本考案の一実施例を詳述する。
【図面の簡単な説明】
【図１】はワンタッチシートカバーを背後から見た斜視図である。
【図２】は横の切り込みにマジックテープを縫い付けてある斜視図である。
【図３】は縦の切り込みにマジックテープを縫い付けてある斜視図である。
【図４】は座席の枕と枕の心棒の斜視図である。
【図５】はマジックテープの斜視図である。
【図６】は自動車の座席の斜視図である。
【符号の説明】
１  ワンタッチシートカバー
２  横の切り込み
３  枕の心棒を通す穴
４  枕の心棒を通す穴
５  縦の切り込み
６  縦の切り込み
７  マジックテープ
８  マジックテープ
Ａ  自動車の座席
Ｂ  座席の枕
Ｃ  枕の心棒
Ｄ  枕カバー
【０００８】  図１は、全体としてワンタッチシートカバー１を示し、上部に横一文字に切り込み２をいれて両端には枕Ｂの心棒Ｃを差し込む穴３．４を設けてある、ワンタッチシートカバー１の背部には縦に切り込み５．６をいれてある。
【０００９】  図２は、ワンタッチシートカバー１の上部に横一文字に切り込み２を入れて、脱着用マジックテープ７と８を例えば糸で縫い付けてある。
【００１０】  図３は、ワンタッチシートカバー１の背部に縦の切り込み５と６をいれて、脱着用マジックテープ７と８を例えば糸で縫い付けてある。
【００１１】  図５は、脱着用マジックテープ７と８の斜視図で脱着用マジックテープ７の表面はカギ状、脱着用マジックテープ８の表面はワープ状になっている。
【００１２】  ワンタッチシートカバー１の背部に脱着用マジックテープ７．８を設けた縦の切り込みを入れて、ワンタッチシートカバー１を自動車の座席Ａより脱着するようになっているが、ワンタッチシートカハー１の横に脱着用マジックテープ７．８を設けた縦の切り込み９を入れても同様の効果が得られる。
【００１３】  ワンタッチシートカバー１の材質は、綿とナイロンの混紡を使用しているが、綿だけでも又ナイロンだけでも同様の効果が得られる。
【００１４】  ワンタッチシートカバー１の脱着には、脱着用マジックテープ７と８を使用しているが、バンド或いはファスナーを用いても同じ効果が得られる。
【考案の効果】
【００１５】    上述のように本考案によれば、ワンタッチシートカバーの上部に横一文字に切り込みを入れて、上記切り込みの両端に枕の心棒を通す穴を設け、ワンタッチシートカバーの背部には縦に切り込みを入れる、上記切り込み部分には脱着用マジックテープを糸で縫い付けてあり、自動車の座席に取り付ける時には着物を着せるように被せて脱着用マジックテープで留めて取り付けることができる、又取り外すときには脱着用マジックテープを剥がして、着物を脱がせるようにして簡単に取り外すことができる。
【図１】
0003117170.tif 000003
【図２】
0003117170.tif 000004
【図３】
0003117170.tif 000005
【図４】
0003117170.tif 000006
【図５】
0003117170.tif 000007
【図６】
0003117170.tif 000008
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
自動車の座席に被せて使用するシートカバーにおいて、上記シートカバーの上部に横一文字に切り込みを入れ上記切り込みの両端には上記自動車の座席に設けてある枕の心棒を通す穴を設け、上記シートカバーの背部には縦一文字に切り込みを２ヵ所入れる、上記切り込み部分には脱着用面ファスナーを例えば糸で縫い付けてあり、上記自動車の座席に上記シートカバーを取り付けたり、取り外したりする時に上記脱着用面ファスナーを使用して上記自動車の座席に設けてある枕を外さなくても取り付け、取り外しが出来る事を特徴とするワンタッチシートカバー。
【手続補正２】
【補正対象書類名】明細書
【補正対象項目名】全文
【補正方法】変更
【補正の内容】
【考案の詳細な説明】
【考案の詳細な説明】
【０００１】
【技術分野】  本考案は、自動車の座席に被せて使用するシートカバーに関するものであって、脱着用面ファスナーを使用して自動車の座席に取り付け、或いは取り外しをするので枕を外さなくてもワンタッチシートカバーの脱着が容易にできる。【０００２】
【背景技術】  従来この種のシートカバーにおいては、自動車の座席に取り付け、取り外しをする時には座席に設けてある枕を外さなければならず、防犯のために取り付けてある防犯硝子も一緒に取り外すのは作業も大変で労力を要するため実用上不便である。【０００３】
【考案が解決しようとする課題】
従来の技術で述べたシートカバーにおいては、自動車の座席に設けてある枕や防犯硝子を外してから取り付けなければならず作業が困難であるため、上記自動車の座席に設けてある枕や防犯硝子を外さなくても取り付け、取り外しを容易にするものである。
【０００４】  本考案は以上のことを考慮してなされたもので、本考案の目的は自動車の座席に設けてある枕や防犯硝子を外さなくてもワンタッチシートカバーの取り替えを容易にし、取り替え作業を楽にするものである。
【０００５】
【課題を解決するための手段】
かかる課題を解決するため本考案においては、ワンタッチシートカバー（１）の上部に横一文字の切り込み（２）を入れる、横一文字の切り込み（２）の両端には自動車の座席（Ａ）に設けられた枕（Ｂ）の心棒（Ｃ）を通す穴（３．４）を設ける、又ワンタッチシートカバー（１）の背部には縦一文字に切り込み（５．６）を２ヵ所入れる、上記切り込み（２．５．６）部分には脱着用面ファスナー（７．８）を例えば糸で縫い付けてある。
【０００６】
【考案を実施するための最良の形態】  自動車の座席（Ａ）にワンタッチシートカバー（１）を取り付ける時には、自動車の座席（Ａ）の前方よりワンタッチシートカバー（１）を自動車の座席（Ａ）に着せるようにして、自動車の座席（Ａ）の背部でワンタッチシートカバー（１）の縦の切り込み（５）に設けられた脱着用面ファスナー（７）を縦の切り込み（６）に設けてある脱着用面ファスナー（８）に重ねるように取り付ける、同じく横の切り込み（２）に設けられた脱着用面ファスナー（７）を脱着用面ファスナー（８）に重ねることにより、自動車の座席（Ａ）に設けられた枕（Ｂ）を外さなくてもワンタッチシートカバー（１）を取り付けられる。
同様に、ワンタッチシートカバー（１）を自動車の座席（Ａ）より外す時は、自動車の座席（Ａ）の背部で重ねた脱着用面ファスナー（７）を脱着用面ファスナー（８）より剥がし、同じく横の切り込み（２）に設けられた脱着用面ファスナー（７）を脱着用面ファスナー（８）より剥がすことにより、自動車の座席（Ａ）に設けられた枕（Ｂ）を外すことなくワンタッチシートカバー（１）を取り外せる。【０００７】  図１は、全体としてワンタッチシートカバー１を示し、上部に横一文字に切り込み２をいれて両端には枕Ｂの心棒Ｃを差し込む穴３．４を設けてある、ワンタッチシートカバー１の背部には縦に切り込み５．６をいれてある。【０００８】  図２は、ワンタッチシートカバー１の上部に横一文字に切り込み２を入れて、脱着用面ファスナー７と８を例えば糸で縫い付けてある。【０００９】  図３は、ワンタッチシートカバー１の背部に縦の切り込み５と６をいれて、脱着用面ファスナー７と８を例えば糸で縫い付けてある。【００１０】  図５は、脱着用面ファスナー７と８の斜視図で脱着用面ファスナー７の表面はカギ状、脱着用面ファスナー８の表面はワープ状になっている。【００１１】  ワンタッチシートカバー１の背部に脱着用面ファスナー７．８を設けた縦の切り込みを入れて、ワンタッチシートカバー１を自動車の座席Ａより脱着するようになっているが、ワンタッチシートカバー１の横に脱着用面ファスナー７．８を設けた縦の切り込み９を入れても同様の効果が得られる。【００１２】  ワンタッチシートカバー１の材質は、綿とナイロンの混紡を使用しているが、綿だけでも又はナイロンだけでも同様の効果が得られる。【００１３】  ワンタッチシートカバー１の脱着には、脱着用面ファスナー７と８を使用しているが、バンド或いはマジックテープを用いても同じ効果が得られる。【００１４】
【考案の効果】
上述のように本考案によれば、ワンタッチシートカバーの上部に横一文字に切り込みを入れて、上記切り込みの両端に枕の心棒を通す穴を設け、ワンタッチシートカバーの背部には縦に切り込みを入れる、上記切り込み部分には脱着用面ファスナーを糸で縫い付けてあり、自動車の座席に取り付けるときには着物を着せるように被せて脱着用面ファスナーで留めて取り付けることができる、又取り外すときには脱着用面ファスナーを剥がして、着物を脱がせるようにして簡単に取り外すことができる。
【００１５】
【実施例】以下図面について、本考案の一実施例を記述する。
【図面の簡単な説明】
【図１】はワンタッチシートカバーを背後から見た斜視図である。
【図２】は横の切り込みに面ファスナーを縫いつけてある斜視図である。
【図３】は縦の切りこみに面ファスナーを縫い付けてある斜視図である。
【図４】は座席の枕と枕の心棒の斜視図である。
【図５】は面ファスナーの斜視図である。
【図６】は自動車の座席の斜視図である。
【符号の説明】
１  ワンタッチシートカバー
２  横の切りこみ
３  枕の心棒を通す穴
４  枕の心棒を通す穴
５  縦の切り込み
６  縦の切り込み
７  面ファスナー
８  面ファスナー
Ａ  自動車の座席
Ｂ  座席の枕
Ｃ  枕の心棒
Ｄ  枕カバー